(57)【要約】【課題】  面方向（幅方向）における大きさを小さくすることができるため、廃棄時の減容化に寄与することができる容器を提供すること。【解決手段】  本発明の容器は、（１）底板、（２）底板の外周縁から上方に延びる側板、（３）側板の上端部から外方へ延びる、断面形状がコの字状の補強フランジ、及び（４）補強フランジよりも曲げやすい、対向して位置する一対の易屈曲部を有する容器であって、前記底板は、容器の上視図における、前記一対の易屈曲部を結ぶ直線上に、下方に向けて突出する凹部を有する。なお、側板は、容器の側面図における、易屈曲部から底板に対して直角に延びる直線上に、外方に向けて突出する凹部を有するのが好ましい。【選択図】      図１
2015140196.tif 000002
【特許請求の範囲】
【請求項１】
（１）底板、（２）底板の外周縁から上方に延びる側板、（３）側板の上端部から外方へ延びる、断面形状がコの字状の補強フランジ、及び（４）補強フランジよりも曲げやすい、対向して位置する一対の易屈曲部を有する容器であって、前記底板は、容器の上視図における、前記一対の易屈曲部を結ぶ直線上に、下方に向けて突出する凹部を有することを特徴とする容器。
【請求項２】
側板は、容器の側面図における、易屈曲部から底板に対して直角に延びる直線上に、外方に向けて突出する凹部を有することを特徴とする、請求項１記載の容器。
【請求項３】
側板は、外方に向けて突出した凹部が全周にわたって延びる外折案内凹部と、外方に向けて突出した凹部が全周にわたって延びる内折案内凹部とを、高さ方向に間隔をあけて、底板側から順番に、１組以上有することを特徴とする、請求項１又は２記載の容器。
【発明の詳細な説明】
【技術分野】
【０００１】
本発明は容器に関する。本発明の容器は少なくとも２つ折りすることができ、面方向における大きさを小さくすることができるため、廃棄時の減容化に寄与することができる。
【背景技術】
【０００２】
例えば、従来、医療用容器を廃棄する場合、医療用廃棄物カートンに医療用容器を収納して廃棄することが行われているが、医療用廃棄物カートンの大きさもある程度決まっているため、医療用容器を収納できない、又は多数の医療用容器を収納できない、という問題があった。
【０００３】
一方で、特開２０１２−２２９０５５号公報（特許文献１）には、「合成樹脂シート材をシート成形してなり、底板部と、底板部の外周部から上方へ延びる側板部とを有する容器であって、前記側板部の途中部に全周にわたって延びる外折案内突部と内折案内突部とを、高さ方向に間隔をあけて下側から順番に交互に１乃至複数組形成するとともに、前記側板部に外折案内突部と内折案内突部とで区画される３段以上の奇数段の単位側板部を形成し、前記単位側板部に周方向に間隔をあけて上下方向に延びる複数の補強突部を形成し、前記外折案内突部を中心にして、その上側に連接される単位側板部を、内外を反転させて、該外折案内突部の下側に連接される単位側板部の外側に重ね合わせるとともに、前記内折案内突部を中心にして、その上側に連接される単位側板部を折り曲げて、該内折案内突部の下側に連接される単位側板部の外側に重ね合わせて、前記側板部を折畳可能に構成した、ことを特徴とするクラッシャブル容器。」が開示されており、前記問題を解決できることが期待されたが、このクラッシャブル容器は高さ方向に減容化できるものの、面方向（幅方向）には減容化できないため、医療用廃棄物カートンに医療用容器を収納できないという問題は解決できないものであった。
【０００４】
なお、このような問題は医療用容器に限ったものではなく、他の容器を廃棄する場合であっても生じる問題であった。
【先行技術文献】
【特許文献】
【０００５】
【特許文献１】特開２０１２−２２９０５５号公報
【発明の概要】
【発明が解決しようとする課題】
【０００６】
本発明はこのような状況下においてなされたものであり、面方向（幅方向）における大きさを小さくすることができるため、廃棄時の減容化に寄与することができる容器を提供することを目的とする。
【課題を解決するための手段】
【０００７】
本発明の請求項１にかかる発明は「（１）底板、（２）底板の外周縁から上方に延びる側板、（３）側板の上端部から外方へ延びる、断面形状がコの字状の補強フランジ、及び（４）補強フランジよりも曲げやすい、対向して位置する一対の易屈曲部を有する容器であって、前記底板は、容器の上視図における、前記一対の易屈曲部を結ぶ直線上に、下方に向けて突出する凹部を有することを特徴とする容器。」である。
【０００８】
本発明の請求項２にかかる発明は「側板は、容器の側面図における、易屈曲部から底板に対して直角に延びる直線上に、外方に向けて突出する凹部を有することを特徴とする、請求項１記載の容器。」である。
【０００９】
本発明の請求項３にかかる発明は「側板は、外方に向けて突出した凹部が全周にわたって延びる外折案内凹部と、外方に向けて突出した凹部が全周にわたって延びる内折案内凹部とを、高さ方向に間隔をあけて、底板側から順番に、１組以上有することを特徴とする、請求項１又は２記載の容器。」である。
【発明の効果】
【００１０】
本発明の請求項１にかかる容器は、一対の易屈曲部を有するとともに、底板には、これら一対の易屈曲部を結ぶ直線上の位置に下方に向けて突出する凹部を有するため、一対の易屈曲部を中心として、容易に少なくとも２つ折りすることができ、面方向における大きさを小さくすることができるため、廃棄時の減容化に寄与することができる。
【００１１】
本発明の請求項２にかかる容器は、側板に、易屈曲部から底板に対して直角に延びる直線上に、外方に向けて突出する凹部を有し、一対の易屈曲部を中心として折り曲げようとした場合に、側板も折り曲げやすく、面方向における大きさを小さくしやすいため、減容化しやすい。
【００１２】
本発明の請求項３にかかる容器は、側板に、外方に向けて突出した凹部が全周にわたって延びる外折案内凹部と、外方に向けて突出した凹部が全周にわたって延びる内折案内凹部とを、高さ方向に間隔をあけて、底板側から順番に、１組以上有するため、補強フランジを底板方向に押圧することによって、外折案内凹部で外折りするとともに、内折案内凹部で内折りすることができ、容器の高さを低くすることができるため、更に減容化に寄与することができる。
【図面の簡単な説明】
【００１３】
【図１】本発明の容器の上視図
【図２】本発明の容器の側面図
【図３】本発明の容器の斜視図
【発明を実施するための形態】
【００１４】
本発明の容器について、容器の上視図である図１、側面図である図２、及び斜視図である図３をもとに説明する。
【００１５】
図１〜３の容器１は、長方形の四隅を面取りした形状を有する底板２、底板２の外周縁から上方に延びる側板３１、３２、３３、側板の上端部から外方へ延びる、断面形状がコの字状の補強フランジ４、及び補強フランジ４の天井部４ａよりも底板側に、対向して位置する一対の易屈曲フランジ５、５’を、補強フランジ４の長辺の中間部分に有する。
【００１６】
この底板２には、容器１の上視図（図１）における、前記一対の易屈曲フランジ５、５’を結ぶ直線上に、下方に向けて突出する断面半円状の凹部２ａが一直線状に設けられている。更に、底板２には、下方へ向けて突出する断面半円状の複数の補強部２ｂが略格子状に設けられている。
【００１７】
また、図１〜３における側板は、底板２の外周縁から上方に、垂直状に延びる第１側板３１、第１側板３１と外折案内凹部３ｂを介して接続されているとともに、外方に傾斜して延びる第２側板３２、及び第２側板３２と内折案内凹部３ｃを介して接続されているとともに、垂直状に延びる第３側板３３とから構成されている。なお、前記外折案内凹部３ｂは外方へ向けて突出した断面半円状の凹部であり、前記内折案内凹部３ｃは外方へ向けて突出した断面半円状の凹部であり、これらは高さ方向に間隔をあけて、側板の全周にわたって延びている。
【００１８】
更に、図１〜３における第１側板３１には、容器１の側面図（図２）における、易屈曲フランジ５、５’から底板２に対して直角に延びる直線上に、外方へ向けて突出する断面半円状の凹部３ａを有する。
【００１９】
更に、第１側板３１、第２側板３２、及び第３側板３３のそれぞれ４つのコーナー部６は略平坦であるとともに、第１側板３１のコーナー部６の両側には、上下方向に延び、内方に向けて、断面半円状に突出した凹状の補強部６ａを有し、第２側板３２のコーナー部６の両側には、上下方向に延び、外方に向けて、断面半円状に突出した凹状の補強部６ｂを有し、第３側板３３のコーナー部６の両側には、上下方向に延び、内方に向けて、断面半円状に突出した凹状の補強部６ｃを有する。なお、第１側板３１の補強部６ａ、第２側板３２の補強部６ｂ、及び第３側板３３の補強部６ｃは、一直線状に連接した状態にある。
【００２０】
図１〜３における補強フランジ４は、第３側板３３の上端部から外方へ延びる天井部４ａを有するとともに、天井部４ａの端部から下方へ延びる折返し部４ｂを有する。このように、補強フランジ４は第３側板３３の上端部、天井部４ａ及び折返し部４ｂによって、断面形状がコの字状に構成されている。なお、この補強フランジ４は、易屈曲フランジ５、５’を除く、第３側板３３の全周にわたって延びている。
【００２１】
図１〜３における容器１においては、補強フランジ４の天井部４ａよりも底板側の低い位置であり、補強フランジ４の折返し部４ｂの末端部と同じ高さの、第３側板３３の上端部から外方へ延びる天井部５ａを有する一対の易屈曲フランジ５、５’を、補強フランジ４の長辺の中間部分に、対向して備えている。なお、前記天井部５ａは、傾斜接続部５ｂによって、補強フランジ４の天井部４ａ、補強フランジ４の折返し部４ｂ、及び第３側板３３の上端部近傍と接続されている。また、易屈曲フランジ５、５’は、容器１の側面図（図２）において、台形状に窪んでいる。
【００２２】
図１〜３に示す容器１は上述のような構成からなるため、使用後に廃棄する際には、易屈曲フランジ５、５’を結んでできる直線が軸として折り曲げるように力を加えると、補強フランジ４とは異なり、天井部５ａのみからなり、補強フランジ４よりも曲げやすい易屈曲フランジ５、５’を対向して備えており、また、底板２の力が加わる位置に、比較的曲げやすい、断面半円状の凹部２ａを備えており、更に、第１側板３１の力が加わる位置に、比較的曲げやすい、断面半円状の凹部３ａを備えているため、容易に２つ折りすることができ、面方向における大きさを約２分の１にすることができるため、減容化することができる。
【００２３】
更に、図１〜３に示す容器１の側板は、外折案内凹部３ｂと内折案内凹部３ｃとを１組有しているため、補強フランジ４を底板２側へ押し下げるように力を作用させると、外折案内凹部３ｂを支点として、第２側板３２を第１側板３１の外側に内外を反転させて折り返して重ね合わせることができるとともに、内折案内凹部３ｃを支点として、第３側板３３を第２側板３２の外側に折り曲げて重ね合わせることができるため、高さ方向における減容化も実現することができる。
【００２４】
なお、図１〜３の容器１においては、第１側板３１、第２側板３２及び第３側板３３のコーナー部６に、補強部６ａ、６ｂ、６ｃを有し、コーナー部６における強度が高いため、容器使用時における形態を維持することができる。また、第１側板３１、第２側板３２、及び第３側板３３のコーナー部６が略平坦であるため、補強フランジ４を底板２側へ押し下げるように力を作用させた場合における、コーナー部６における反転が容易であるため、高さ方向における減容化が容易である。
【００２５】
この図１〜３に示すような容器１は、例えば、合成樹脂シートを成形することによって製造することができる。なお、合成樹脂シートを構成する合成樹脂は特に限定するものではないが、例えば、ポリエステル、ポリプロピレンであることができ、特に、ポリプロピレンであるのが好ましい。この好ましいポリプロピレンを使用する場合、容器使用前の各種加工時（例えば、滅菌処理）、容器輸送時、或いは容器使用時における保形性の点、及び使用後の減容化の点から、厚さが０．５〜２．５ｍｍのポリプロピレンシートを成形するのが好ましく、０．８〜１．２ｍｍのポリプロピレンシートを成形するのがより好ましい。
【００２６】
以上、本発明の容器について、図１〜３を参照しながら説明したが、本発明の容器は、図１〜３の容器１に限定されず、次のような変形を単独で、又は適宜組合わせることができる。
【００２７】
（１）図１〜３における底板２は長方形の四隅を面取りした形状であるが、長方形の四隅を面取りした形状である必要はない。例えば、正方形状、六角形状などの多角形状、円形状、長円状であっても良いし、多角形状の場合、面取りされていなくても良い。
【００２８】
（２）図１〜３における補強フランジ４は折返し部４ｂが直角に折り返された断面形状を有するが、直角である必要はない。例えば、末広がり状のコの字状であっても良い。
【００２９】
（３）図１〜３における易屈曲フランジ５、５’は、補強フランジ４の天井部４ａよりも底板２側の高さに、対向して位置しているが、補強フランジ４の天井部４ａよりも底板２側の高さに位置している必要はない。例えば、補強フランジ４の天井部４ａと同一平面の天井部のみからなる易屈曲フランジであっても良い。
【００３０】
（４）図１〜３における易屈曲部は易屈曲フランジ５、５’からなるが、フランジである必要はない。例えば、補強フランジ４の天井部４ａの一部を切り取った状態とし、易屈曲部とすることもできる。
【００３１】
（５）図１〜３においては、一対の易屈曲フランジ５、５’を、補強フランジ４の長辺の中間部分に有するが、中間部分である必要はない。例えば、補強フランジ４の片側から３分の１程度の部分に、一対の易屈曲フランジ５、５’を有していれば、面方向における大きさを３分の２程度の大きさに減容することができる。
【００３２】
（６）図１〜３においては、一対の易屈曲フランジ５、５’を１組だけ有するが、２組以上有していても良い。例えば、補強フランジ４の片側から３分の１程度の部分と、片側から３分の２程度の部分に、一対の易屈曲フランジ５、５’を２組有していれば、面方向における大きさを３分の１程度の大きさに減容することができる。
【００３３】
（７）図１〜３の底板２には、容器１の上視図（図１）における、一対の易屈曲フランジ５、５’を結ぶ直線上全体に延びる、凹部２ａを有しているが、直線上全体である必要はない。例えば、直線上全体の３分の１以上に凹部２ａを有していれば、実用上、折り曲げて減容化することが容易であり、好ましくは直線上全体の２分の１以上に凹部２ａを有しており、更に好ましくは直線上全体の３分の２以上に凹部２ａを有しており、最も好ましくは、直線上全体に凹部２ａを有している。
【００３４】
（８）図１〜３の底板２における凹部２ａの断面は半円状であるが、半円状である必要はない。例えば、略三角形状、半長円状であっても良い。
【００３５】
（９）図１〜３の底板２には、下方へ向けて突出する補強部２ｂが設けられているが、下方へ向けて突出している必要はなく、上方へ向けて突出していても、同様に補強作用を奏する。
【００３６】
（１０）図１〜３の底板２における補強部２ｂの断面は半円状であるが、例えば、略三角形状、半長円状であるなど、半円状である必要はない。
【００３７】
（１１）図１〜３の底板２においては、補強部２ｂを備えているが、底板２が十分な強度を有し、形態安定性に優れているのであれば、補強部２ｂを備えている必要はない。
【００３８】
（１２）図１〜３の底板２においては、複数の補強部２ｂが略格子状に設けられているが、略格子状に備えている必要はない。例えば、一方向に向かって、ストライプ状に設けられていても良い。
【００３９】
（１３）図１〜３における側板は、第１側板３１、外折案内凹部３ｂ、第２側板３２、内折案内凹部３ｃ及び第３側板３３とから構成されているが、このような構成に限定されない。例えば、外折案内凹部３ｂ及び内折案内凹部３ｃのない、１枚の側板で構成されていても良いし、２組以上の外折案内凹部３ｂ及び内折案内凹部３ｃを介して接続された側板から構成することもできる。
【００４０】
（１４）図１〜３における第１側板３１及び第３側板３３は垂直状に延び、第２側板３２は外方に傾斜して延びているが、どのような角度で延びていても良い。しかしながら、図１〜３で示すような角度で延びていると、容器１の高さ方向における減容化が容易であるため好適である。
【００４１】
（１５）図１〜３における外折案内凹部３ｂ、内折案内凹部３ｃはいずれも、外方へ向けて突出した状態にあるが、いずれも内方へ向けて突出した状態にあっても良いし、いずれか一方が外方へ向けて突出した状態にあり、他方が内方へ向けて突出した状態にあっても良い。
【００４２】
（１６）図１〜３における外折案内凹部３ｂ、内折案内凹部３ｃはいずれも、断面が半円状の凹部であるが、半円状である必要はなく、例えば、略三角形状、略半長円形状であっても良い。
【００４３】
（１７）図１〜３における容器１においては、外折案内凹部３ｂと内折案内凹部３ｃとを備えているが、外折案内凹部３ｂと内折案内凹部３ｃのいずれか一方のみを備えていても良い。この場合であっても、高さ方向における減容化を実現することができる。
【００４４】
（１８）図１〜３における容器１においては、外折案内凹部３ｂと内折案内凹部３ｃとが側板の全周にわたって延びているが、全周にわたって延びている必要はない。しかしながら、高さ方向における減容化を実現する上では、全周にわたって延びているのが好ましい。
【００４５】
（１９）図１〜３においては、第１側板３１のみに、容器１の側面図（図２）における、易屈曲フランジ５、５’から底板２に対して直角に延びる直線上に凹部３ａを有しているが、第１側板３１に替えて、又は加えて、第２側板３２及び／又は第３側板３３に、容器１の側面図（図２）における、易屈曲フランジ５、５’から底板２に対して直角に延びる直線上に凹部を有していても良い。
【００４６】
（２０）図１〜３においては、第１側板３１に、容器１の側面図（図２）における、易屈曲フランジ５、５’から底板２に対して直角に延びる直線上に凹部３ａを有しているが、易屈曲フランジ５、５’及び底板２の凹部２ａで折り曲げて減容化しやすいのであれば、第１側板３１、第２側板３２、及び第３側板３３に凹部がなくても良い。
【００４７】
（２１）図１〜３における第１側板３１の凹部３ａは、断面が半円状であるが、半円状である必要はなく、例えば、略三角形状、略半長円形状であっても良い。
【００４８】
（２２）図１〜３の容器１における、第１側板３１、第２側板３２及び第３側板３３のそれぞれ４つのコーナー部６は略平坦であるが、曲面状であっても良い。
【００４９】
（２３）図１〜３の容器１における、第１側板３１、第２側板３２、及び第３側板３３のコーナー部６には、凹状の補強部６ａ、６ｂ、６ｃを有しているが、十分な強度を有する場合には、補強部を有する必要はない。
【００５０】
（２４）図１〜３の容器１における、第１側板３１、第２側板３２、及び第３側板３３のコーナー部６には、凹状の補強部６ａ、６ｂ、６ｃを有しているが、第１側板３１、第２側板３２、第３側板３３のコーナー部６から選ばれる、１つ又は２つの側板のコーナー部のみに、凹状の補強部を有することもできる。
【００５１】
（２５）図１〜３の容器１における、第１側板３１、第２側板３２、第３側板３３のコーナー部６の両側に、凹状の補強部６ａ、６ｂ、６ｃをそれぞれ有しているが、それぞれのコーナー部６の両側に有する必要はないし、コーナー部６に替えて、又は加えて、コーナー部以外の箇所に、凹状の補強部を有していても良い。
【００５２】
（２６）図１〜３の容器１における、第１側板３１、第２側板３２、第３側板３３のコーナー部６の凹状の補強部６ａ、６ｂ、６ｃは上下方向に延びているが、上下方向である必要はない。
【００５３】
（２７）図１〜３の容器１における、第１側板３１、第２側板３２、第３側板３３のコーナー部６の凹状の補強部６ａ、６ｂ、６ｃの断面は半円状であるが、半円状である必要はなく、例えば、略三角形状、略半長円形状であっても良い。
【００５４】
（２８）図１〜３の容器１における、第１側板３１のコーナー部６における凹状の補強部６ａは内方に向けて突出しており、第２側板３２のコーナー部６における凹状の補強部６ｂは外方に向けて突出しており、第３側板３３のコーナー部６における凹状の補強部６ｃは内方に向けて突出しているが、これら補強部の突出方向は、コーナー部を補強できれば良く、特に限定するものではない。
【００５５】
（２９）図１〜３の容器１においては、第１側板３１の補強部６ａ、第２側板３２の補強部６ｂ、及び第３側板３３の補強部６ｃが一直線状に連接した状態にあるが、連接した状態にある必要はない。また、連接した状態にある場合であっても、一直線状である必要はない。
【００５６】
（３０）図１〜３の容器１においては、補強フランジ４は、易屈曲フランジ５、５’を除く、第３側板３３の全周にわたって延びているが、容器１の形態を保持できるのであれば、全周にわたって延びている必要はない。
【００５７】
（３１）図１〜３における容器１においては、補強フランジ４の天井部４ａよりも底板側であり、補強フランジ４の折返し部４ｂの末端部と同じ高さに、一対の易屈曲フランジ５、５’を有しているが、折返し部４ｂの末端部と同じ高さである必要はない。例えば、折返し部４ｂの末端部よりも高い位置に、一対の易屈曲フランジ５、５’を有していても良い。
【００５８】
（３２）図１〜３における容器１においては、一対の易屈曲フランジ５、５’を、補強フランジ４の長辺の中間部に有しているが、補強フランジ４の長辺である必要はなく、容器１を収納するカートンに応じて、補強フランジ４の短辺に、一対の易屈曲フランジ５、５’を有していても良い。
【００５９】
（３３）図１〜３における易屈曲フランジ５、５’の天井部５ａは、傾斜接続部５ｂによって、補強フランジ４の天井部４ａ、補強フランジ４の折返し部４ｂ、及び第３側板３３の上端部近傍と接続されているが、易屈曲フランジ５、５’の天井部５ａは補強フランジ４の天井部４ａ、補強フランジ４の折返し部４ｂ、第３側板３３の上端部近傍の少なくとも１ヶ所と接続されていれば良い。
【００６０】
（３４）図１〜３における易屈曲フランジ５、５’は、容器１の側面図（図２）において、台形状の形状を有するが、台形状である必要はない。例えば、長方形状、三角形状、半円状などであっても良い。
【産業上の利用可能性】
【００６１】
本発明の容器は少なくとも２つ折りすることができ、面方向における大きさを小さくすることができるため、廃棄時の減容化に寄与することができる。そのため、例えば、医療用容器、弁当用容器として、好適に使用することができる。
【符号の説明】
【００６２】
１  容器
２  底板
２ａ  凹部
２ｂ  補強部
３１  第１側板
３２  第２側板
３３  第３側板
３ａ  凹部
３ｂ  外折案内凹部
３ｃ  内折案内凹部
４  補強フランジ
４ａ  天井部
４ｂ  折返し部
５、５’  易屈曲フランジ
５ａ  天井部
５ｂ  傾斜接続部
６  コーナー部
６ａ  補強部
６ｂ  補強部
６ｃ  補強部
【図１】
2015140196.tif 000003
【図２】
2015140196.tif 000004
【図３】
2015140196.tif 000005